(57)【要約】【課題】  陳列物の姿勢変化を検出して、顧客の注視部位を正確に測定する。【解決手段】  陳列部に顧客が手に取って視認可能に陳列された陳列物に、固定した角速度検出部を設け、該角速度検出部で検出した角速度に基づいて陳列物の姿勢変化を検出する姿勢変化検出部と、該姿勢変化検出部で検出した陳列物の姿勢変化に基づいて当該陳列物に対する顧客の注視部位を測定する注視部位測定手段とを備えている。【選択図】  図４
2007114851.tif 000002
【特許請求の範囲】
【請求項１】
顧客が手に取って視認可能な陳列物を陳列する陳列部と、前記陳列物に固定した角速度検出部と、該角速度検出部で検出した角速度に基づいて陳列物の姿勢変化を検出する姿勢変化検出部と、該姿勢変化検出部で検出した陳列物の姿勢変化に基づいて当該陳列物に対する顧客の注視部位を測定する注視部位測定手段とを備えたことを特徴とする陳列物の注視部位測定装置。
【請求項２】
前記角速度検出部は、陳列物の３軸方向の角速度を個別に検出可能に構成されていることを特徴とする請求項１に記載の陳列物の注視部位測定装置。
【請求項３】
前記角速度検出部は、ジャイロスコープで構成されていることを特徴とする請求項１又は２に記載の陳列物の注視部位測定装置。
【請求項４】
前記陳列部は、陳列部の背面が当接する壁面を有し、該壁面に陳列物を当接させて陳列するように構成されていることを特徴とする請求項１乃至３の何れか１項に記載の陳列物の注視部位測定装置。
【発明の詳細な説明】
【技術分野】
【０００１】
本発明は、スチルカメラ、ビデオカメラ、ポータブルＣＤプレーヤ、ポータブルＭＤプレーヤなどの携帯オーディオ機器、髭剃り器等の顧客が手にとって視認する陳列物の注視部位を測定する陳列物の注視部位測定装置に関する。
【背景技術】
【０００２】
この種の陳列物の注視部位測定装置は、顧客が陳列物を手にとって正面、背面、上面、下面等のどの部位に注目して注視しているかを測定ことが可能であるので、商品開発の参考情報や商品の注目度情報等のマーケティング情報として活用することができる。
ところで、従来の陳列物の注視部位測定装置としては、例えば、端に他物への止着体、電源プラグ等の接続部をもつ電気コード本体において、当該接続部に近い個所に駒体を止着し、この駒体を短い繋留紐を以て接続部に繋留して電気コード本体における接続部と駒体との間部分に弛みをもたせた電気コードを備えた商品展示装置が知られている（例えば、特許文献１参照）。
【０００３】
また、商品の販売や保管等における管理上の必要情報で、一般には商品の品名、価格の記載された値札等の物品管理用タグを商品につけると共に、物品展示装置，物品保管装置に質問器、制御／データ処理部を設け、物品展示装置、物品保管装置に商品の展示或いは保管収納の状態のままで、電波誘導通信により商品の展示又は保管の位置、品名、価格等の情報の確認、読み取りを可能とする物品管理システムが知られている（例えば、特許文献２参照）。
【特許文献１】特開２００１−３１２７７９号公報（第１頁、図１）
【特許文献２】特開平８−１０１９８０号公報（第１頁、第１３頁、図１）
【発明の開示】
【発明が解決しようとする課題】
【０００４】
しかしながら、上記特許文献１に記載された従来例にあっては、盗難防止具としては効果があるが、顧客が陳列物を手にとってその外形を視認する際にどの位置に注視しているかの情報を取得することはできないという未解決の課題がある。
また、上記特許文献２に記載された従来例にあっても、小物高額商品の展示保管、棚卸し、販売等の管理業務の自動合理化、経営情報収集、セキュリティ性向上を図ることができるが、陳列物の姿勢変化を検出することはできず、顧客の注視部位を検出することはできないという未解決の課題がある。
【０００５】
そこで、本発明は、上記従来例の未解決の課題に着目してなされたものであり、陳列物の姿勢変化を検出して、顧客の注視部位を正確に測定することができる陳列物の注視位置測定装置を提供することを目的としている。
【課題を解決するための手段】
【０００６】
上記目的を達成するために、第１の手段に係る陳列物の注視位置測定装置は、顧客が手に取って視認可能な陳列物を陳列する陳列部と、前記陳列物に固定した角速度検出部と、該角速度検出部で検出した角速度に基づいて陳列物の姿勢変化を検出する姿勢変化検出部と、該姿勢変化検出部で検出した陳列物の姿勢変化に基づいて当該陳列物に対する顧客の注視部位を計測する注視部位測定手段とを備えたことを特徴としている。
【０００７】
この第１の手段では、陳列物に固定した角速度検出部で、陳列物の角速度を検出し、これに基づいて姿勢変化検出部で陳列物の姿勢変化を検出し、検出した陳列物の姿勢変化に基づいて顧客の注視部位を注視部位測定手段で検出することにより、陳列物を手に取ったか否かを含め顧客が陳列物のどの部位を注視しているかを正確に測定することができる。
また、第２の手段に係る陳列物の注視部位測定装置は、第１の手段において、前記角速度検出部は、陳列物の３軸方向の角速度を個別に検出可能に構成されていることを特徴としている。
【０００８】
この第２の手段では、角速度検出部で陳列物の３軸方向の角速度を検出可能に構成されているので、陳列物のピッチ方向、ロール方向及びヨー方向の動きを正確に検出することができ、陳列物の姿勢を正確に検出することができる。
さらに、第３の手段に係る陳列物の注視部位測定装置は、第１又は第２の手段において、前記角速度検出部は、ジャイロスコープで構成されていることを特徴としている。
【０００９】
この第３の手段では、ジャイロスコープによって角速度を検出するので、例えば圧電ジャイロ等を適用することにより、角速度検出部を小型化することができる。
さらにまた、第４の手段に係る陳列物の注視部位測定装置は、第１乃至第３の手段の何れか１つにおいて、前記陳列部は、陳列部の背面が当接する壁面を有し、該壁面に陳列物を当接させて陳列するように構成されていることを特徴としている。
【００１０】
この第４の手段では、陳列部に陳列物の背面が当接する壁面を設けることにより、陳列物を常に正面を前面側に向けて固定することができ、陳列物の初期位置が常に特定されるので、この初期位置からの陳列物の姿勢変化を正確に追跡することができる。
【発明を実施するための最良の形態】
【００１１】
以下、本発明の実施の形態を図面に基づいて説明する。
図１は、本発明の一実施形態を示す斜視図であって、図中、１は店舗内に配設された陳列部としての陳列台であって、複数段の陳列棚２を有し、各陳列棚２には背面側に陳列物としてのデジタルスチルカメラ３及びデジタルビデオカメラ４の背面を当接して位置決めする壁面５が形成されている。ここで、デジタルスチルカメラ３及びデジタルビデオカメラ４と陳列棚２との間には盗難防止用のケーブル６で連結されている。
【００１２】
そして、デジタルスチルカメラ３及びデジタルビデオカメラ４には、これらカメラ３及び４の姿勢変化を検出するセンサユニット７が装着されている。このセンサユニット７は、図２に示すように、カメラ３及び４のＸＹＺ軸周りの角速度を検出する３組の角速度センサ８Ｘ，８Ｙ及び８Ｚと、カメラ３及び４の加速度を検出する加速度センサ９と、これら角速度センサ８Ｘ，８Ｙ及び８Ｚで検出した角速度ωｘ、ωｙ及びωｚと加速度センサ９で検出した加速度とに基づいてカメラ３及び４の注視部位の注視時間、注視部位の遷移状況、カメラ３及び４を手にとって視認している視認時間を算出し、カメラ３及び４の姿勢変化を検出して顧客の注視部位を測定する注視部位測定処理を実行すると共に、外部の機器の無線通信制御を行う例えばＣＰＵで構成される演算処理装置１０と、角速度センサ８Ｘ、８Ｙ、８Ｚから出力される角速度ωｘ、ωｙ及びωｚ、注視部位の注視時間、注視部位の遷移状況、視認時間を記憶するメモリ１１と、演算処理装置１０によって制御される外部の情報収集装置との間で無線通信を行う通信制御部１２と、この通信制御部１２に接続された無線通信アンテナ１３と、角速度センサ８Ｘ〜８Ｚ、演算処理部１０、及び通信制御部１２に電力を供給するバッテリ１４と、バッテリ１４の出力側に接続された電源スイッチ１５とを備えている。
【００１３】
ここで、角速度センサ８Ｘ、８Ｙ及び８Ｚの夫々は、図３に示すように、圧電式ジャイロセンサ１６と、この圧電式ジャイロセンサ１６から出力される角速度信号が入力されてノイズを除去するローパスフィルタ１７と、このローパスフィルタ１７のフィルタ出力を増幅するアナログアンプ１８と、このアナログアンプ１８から出力される増幅信号をデジタル信号に変換するＡ／Ｄ変換器１９とを備えている。
【００１４】
一方、陳列台１には各カメラ３及び４に取付けられたセンサユニット７から送信される送信データを受信して各カメラ３及び４毎の注視状態情報を収集する情報収集装置としてのデータベース２１が配設されている。このデータベース２１は、図２に示すように、各カメラ３及び４からち送信される注視状態情報を受信する受信アンテナ２２と、この受信アンテナ２２で受信した顧客視認情報を復調する通信制御部２３と、この通信制御部２３で復調した顧客視認情報に基づいて情報収集処理を行うデータ処理部２４と、顧客視認情報をカメラ機種毎に蓄積すると共に、データ処理部２４で処理されたデータを蓄積するデータ蓄積部２５とを備えている。
【００１５】
そして、センサユニット７の演算処理部１０では、図４に示す注視部位測定処理を実行する。この注視部位測定処理は、演算処理部１０に電源が投入されたときに実行開始され、先ず、ステップＳ１で、視認時間を計測する視認時間タイマをリセットすると共に、顧客の視認回数を計数する視認回数カウンタをリセットし、さらにメモリ１１に記憶されている注視部位測定データを消去すると共に、圧電式ジャイロセンサ１６及び加速度センサ９をリセットする初期状態処理を行ってからステップＳ２に移行する。
【００１６】
このステップＳ２では、角速度センサ８Ｘ〜８Ｚ及び通信制御部１２への電力供給を停止して必要最小限の駆動部のみを駆動する待機モードを設定し、次いでステップＳ３に移行して、加速度センサ９の加速度検出値Ｇを読込み、次いでステップＳ４に移行して、読込んだ加速度検出値Ｇが予め設定した不感帯幅±ΔＧの範囲内であるか否かを判定し、−ΔＧ≦Ｇ≦＋ΔＧであるときには、カメラ３又は４が移動しておらず、陳列台１の陳列棚２に載置されているものと判断して前記ステップＳ２に戻り、Ｇ＜−ΔＧ又はＧ＞＋ΔＧであるときにはカメラ３又は４を顧客が手に取ったものと判断してステップＳ５に移行する。
【００１７】
このステップＳ５では、角速度センサ８Ｘ〜８Ｚ及び通信制御部１２への電源の供給を開始し、次いでステップＳ６に移行して、視認時間タイマを起動し、次いでステップＳ７に移行して、各角速度センサ８Ｘ、８Ｙ及び８Ｚから出力される角速度検出値ωｘ、ωｙ及びωｚを読込み、次いでステップＳ８に移行して、読込んだ角速度検出値ωｘ、ωｙ及びωｚをメモリ１１に記憶し、次いでステップＳ９に移行して、読込んだ角速度検出値ωｘ、ωｙ及びωｚに基づいてカメラ３又は４の現在の姿勢を表す姿勢情報を演算する。
【００１８】
次いで、ステップＳ１０に移行して、演算した姿勢情報と前回の姿勢情報とを比較してカメラ３又は４の姿勢に所定値以上の変化があったか否かを判定し、姿勢変化がないときには顧客がカメラ３又は４の特定部位を注視しているものと判断してステップＳ１１に移行し、注視時間を計測する注視時間タイマを起動してから前記ステップＳ７に戻る。
一方、ステップＳ１０の判定結果が、カメラ３又は４の姿勢に所定値以上の変化があったときにはステップＳ１２に移行して、注視時間タイマで計測した注視時間を姿勢情報と共にメモリ１１に記憶し、次いでステップＳ１３に移行して、注視時間タイマをリセットしてからステップＳ１４に移行する。
【００１９】
このステップＳ１４では、角速度検出値ωｘ、ωｙ及びωｚの総てが所定時間ｔ（例えば数分）以上所定の不感帯幅±Δωを超える変化がないか否かを判定し、角速度検出値ωｘ、ωｙ及びωｚの何れかに不感帯幅±Δωを超える変化があるときには、まだ顧客がカメラ３又は４を持って視認している視認状態にあるものと判断して前記ステップＳ７に戻り、角速度検出値ωｘ〜ωｚの全てが不感帯幅±Δω以上の変化がない状態が所定時間以上継続しているときには、カメラ３又は４が陳列棚に戻されたものと判断して、ステップＳ１５に移行する。
【００２０】
このステップＳ１５では、視認時間タイマを停止させて計測した視認時間をメモリ１１に記憶し、次いでステップＳ１６に移行して、顧客の視認回数を計数する視認回数カウンタを“１”だけインクリメントしてからステップＳ１７に移行し、メモリ１１に記憶されている視認時間、注視時間及び姿勢情報にセンサユニットＩＤを付加して顧客視認情報を形成し、次いでステップＳ１８に移行して、形成した顧客視認情報を通信制御部１２に出力して、データベース２１に送信してからステップＳ１９に移行する。
【００２１】
このステップＳ１９では、各角速度センサ８Ｘ〜８Ｚの圧電式ジャイロセンサ１６及び加速度センサ９をリセットし、次いでステップＳ２０に移行して、現在のカメラ３又は４の姿勢情報に基づいて陳列棚２へのカメラ３又は４の載置方向を特定し、これを基準位置として設定してから前記ステップＳ２に戻る。
この図４の処理において、ステップＳ７〜Ｓ９の処理が姿勢変化検出部に対応し、ステップＳ１０〜Ｓ１５の処理が注視部位測定手段に対応している。
【００２２】
また、データベース２１では、データ処理部２４で図５に示す情報収集処理を実行する。
この情報収集処理は、先ず、ステップＳ２１で、各カメラ３及び４に装着した何れかのセンサユニット７から顧客視認情報を受信したか否かを判定し、顧客視認情報を受信していないときには、顧客視認情報を受信するまで待機し、顧客視認情報を受信したときにはステップＳ２２に移行する。
【００２３】
このステップＳ２２では、受信した顧客視認情報に含まれるセンサユニットＩＤを読出し、読出したセンサユニットＩＤに基づいてデータベース２１内のデータ蓄積部２５に登録された各センサユニットＩＤ毎に形成された顧客視認情報格納領域に顧客視認情報を格納する。
次いで、ステップＳ２３に移行して、データ解析要求が入力されたか否かを判定し、データ解析要求が入力されていないときには、前記ステップＳ２１に戻り、データ解析要求が入力されたときには、ステップＳ２４に移行して、各センサユニットＩＤ毎にその顧客視認情報格納領域に格納されている顧客視認情報を読出し、次いでステップＳ２５に移行して、読出した顧客視認情報に基づいて顧客が注視している注視部位を抽出する注視部位抽出処理を行い、次いでステップＳ２６に移行して、各顧客視認情報の視認時間の平均値と視認時間の最大値及び最小値を抽出し、次いでステップＳ２７に移行して、例えば各センサユニットＩＤ毎に１日の最後に受信した顧客視認情報から顧客視認回数を読み出して、１日の顧客視認回数を算出する。
【００２４】
次いでステップＳ２８に移行して、抽出した注視部位と視認時間の平均値、最大値及び最小値と、顧客の視認回数顧客とを一覧表にして表示装置２６に表示し、次いでステップＳ２９に移行して、表示された一覧表をデータ蓄積部２５に記憶してから前記ステップＳ２１に戻る。
次に、上記実施形態の動作を説明する。
【００２５】
今、開店前で、店舗内に配設された陳列台１に陳列されている各カメラ３及び４のセンサユニット７の電源スイッチ１５がオフ状態であり、各センサユニット７の演算処理装置１０が処理を停止しているものとすると、この状態では演算処理装置１０で図４の注視部位測定処理は実行されることはなく、センサユニット７から顧客注視情報が送信されることはない。
【００２６】
一方、データベース２１では、センサユニット７からの顧客注視情報の受信がないので、待機状態となっている。
この状態から、開店時に、各カメラ３及び４のセンサユニット７の電源スイッチ１５をオン状態とすると、各センサユニット７の演算処理装置１０で図４に示す顧客注視部位測定処理が実行開始される。
【００２７】
この顧客注視部位測定処理では、先ず、視認時間タイマ及び視認回数カウンタをリセットすると共に、メモリ１１に記憶されている注視部位測定データを消去し、さらに圧電式ジャイロセンサ１６で検出した各加速度検出値及び加速度センサ９の加速度検出値Ｇをリセットする初期化処理を行う（ステップＳ１）。
次いで、各角速度センサ８Ｘ〜８Ｚに供給する電力を停止して必要最小限の駆動部のみを駆動する待機モードに設定する。
【００２８】
このとき、陳列台１は、各陳列棚２の奥行きが各カメラ３，４等の陳列物を陳列棚２に置いた際に陳列物の正面又は背面が顧客側を向くように陳列物の奥行きと略等しく設定され、通常はカメラ３及び４のレンズが配設された正面を顧客に向け、背面を壁面５に当接された初期位置に配置して置く。
この開店前の状態では、各カメラ３又は４が顧客の手に取られることはないので、加速度センサ９から出力される加速度検出値Ｇは零となっており、不感帯幅±ΔＧの範囲内となるので、待機モードを継続して省電力モードを継続する。
【００２９】
この状態で、店舗を開店して、店舗内に顧客が入場し、顧客が陳列台１の正面に立ち、陳列されているデジタルスチルカメラ３及びデジタルビデオカメラ４のうち、所望の１つのカメラ３を把持して、陳列棚２から離すと、加速度センサ９で不感帯幅±ΔＧを超える加速度検出値Ｇが検出される。
このため、図４の処理で、ステップＳ４からステップＳ５に移行して、角速度センサ８Ｘ〜８Ｚ及び通信制御部１２の電源供給が開始されることにより、注視部位測定モードとなる。
【００３０】
この注視部位測定モードとなると、先ず、視認時間タイマが起動されて視認時間を計時開始し（ステップＳ６）、次いで各速度センサ８Ｘ〜８Ｚから出力される角速度検出値ωｘ、ωｙ及びωｚを読込み、これらをメモリ１１に形成した角速度記憶領域に記憶する（ステップＳ７，Ｓ８）。
このメモリ１１に記憶された角速度検出値ωｘ、ωｙ及びωｚは、カメラ３を正面から見たときの前後方向の揺動即ちピッチ運動、左右方向の揺動即ちロール運動及びカメラ３を上面から見たときのヨーレートを表すので、例えばカメラ３を手で把持してカメラ３を取り上げたときには、例えばカメラ３を後傾させてから持ち上げて見易い位置まで移動させる。このときカメラ３は顧客の手の動きに合わせた複雑な姿勢変化を生じることから、各角速度センサ８Ｘ、８Ｙ及び８Ｚの圧電式ジャイロ１６で姿勢変化に応じた角速度検出値ωｘ、ωｙ及びωｚが出力される。
【００３１】
このため、検出された角速度検出値ωｘ、ωｙ及びωｚを読込み（ステップＳ７）、読込んだ角速度検出値ωｘ、ωｙ及びωｚを一旦メモリ１１に記憶し（ステップＳ８）、次いで角速度検出値ωｘ、ωｙ及びωｚに基づいて実際のカメラ３の姿勢情報を算出する。
このとき、カメラ３の姿勢が順次変化しているので、注視時間タイマが起動されておらず、この注視時間タイマの注視時間が“０”となっており、この注視時間と姿勢情報とが順次メモリ１１に記憶される（ステップＳ１２）。
【００３２】
このカメラ３の移動状態から顧客がカメラ３の例えば正面を注視する状態となると、カメラ３の姿勢が例えば正面が斜め上を向いた状態で移動が略停止される。このように、カメラ３の移動が停止されると、角速度センサ８Ｘ、８Ｙ及び８Ｚから出力される角速度検出値ωｘ、ωｙ及びωｚが略零となり、これらに基づいて算出される姿勢情報が変化しない状態となる。
【００３３】
このため、図４の処理において、ステップＳ１０からステップＳ１１に移行して、注視時間タイマが起動されて注視時間の計測が開始される。その後、顧客が他の部位を注視するためにカメラ３の姿勢を変化させると、この時点で、図４の処理におけるステップＳ１０からステップＳ１２に移行して、注視時間タイマを停止させて注視時間を姿勢情報と共にメモリ１１に記憶する。これによって、顧客の注視部位と注視時間とがメモリに記憶されることになる。
【００３４】
次いで、顧客が次に注視したい部位までカメラ３の姿勢を変化させている状態では、上述したと同様にカメラの姿勢情報が順次メモリ１１に記憶され、次に注視したい部位でカメラ３の姿勢変化が略停止すると、上記と同様に注視時間が計測され、計測された注視時間とそのときの姿勢情報とがメモリ１１に記憶される。
その後、顧客がカメラ３の視認を終了してカメラ３を陳列棚２に戻すと、カメラ３が陳列棚２に戻されるまでは、カメラ３の姿勢が連続的に変化するので、順次姿勢情報がメモリ１１に記憶され、カメラ３が陳列棚２に戻されると、カメラ３の姿勢変化が停止し、角速度センサ８Ｘ、８Ｙ及び８Ｚから出力される角速度検出値ωｘ、ωｙ及びωｚが変化しない状態となる。
【００３５】
このため、角速度検出値ωｘ〜ωｚが変化しない状態が所定時間以上継続すると、図４の処理でステップＳ１３からステップＳ１４に移行して、視認タイマを停止させて視認時間をメモリ１１に記憶し、次いで顧客視認回数カウンタを“１”だけインクリメントする。
そして、メモリ１１に記憶されている視認時間、注視時間及び姿勢情報にセンサユニット７のＩＤを付加して顧客視認情報を形成し（ステップＳ１６）、形成した顧客視認情報を通信制御部１２に出力して、データベース２１に送信する。
【００３６】
次いで、角速度センサ８Ｘ〜８Ｚのジャイロ１６及び加速度センサ９をリセットして、次いで最終的な姿勢情報から陳列棚２への載置方向即ち正面向きであるか裏面向きであるかを特定し、特定した載置方向を基準位置として設定してから前記ステップＳ２に戻る。
この場合、陳列棚２がカメラ３及び４を載置する方向が正面向きか背面向きかの何れとなるように設定されていることから、カメラ３及び４の載置方向を特定することができる。
【００３７】
このようにして、顧客がカメラ３を陳列棚２から手に取って視認してから陳列棚２に戻すと、その間の視認時間が計測されると共に、カメラ３の姿勢情報が逐次記憶され、さらにその姿勢変化が停止している状態を顧客の注視部位として、その注視時間を計測することにより、顧客がカメラ３のどの部位を注視しているかを正確に計測することができる。
そして、顧客がカメラ３を陳列棚２に戻すことにより、カメラ３の姿勢変化が所定時間以上無い状態となると視認時間、注視時間及び姿勢情報にセンサユニット７のＩＤを付加して顧客視認情報を形成し、形成した顧客視認情報をデータベース２１に送信する。
【００３８】
このため、データベース２１では、図５の情報収集処理で、ステップＳ２１からステップＳ２２に移行して、センサユニットＩＤを抽出して、このセンサユニットＩＤに基づいてデータ蓄積部２５の顧客視認情報登録領域に顧客視認情報を登録する。
このように、データベース２１では、各カメラ３及び４のセンサユニット７から顧客がカメラ３又は４を手に取って視認してから陳列棚２に戻す毎に送信される顧客視認情報を順次受信してセンサユニットＩＤ毎に顧客視認情報を顧客視認情報登録領域に登録する。
【００３９】
その後、例えば１日の営業時間が終了すると、自動的に又は人手による入力によってデータ解析要求が入力され、これによってステップＳ２３からステップＳ２４に移行して、センサユニット毎に、当日の顧客視認情報を読出し、注視部抽出処理を行って、顧客の注視部位を抽出する。
そして、センサユニットＩＤ毎に、注視時間の平均値と最大値及び最小値とを算出すると共に、１日の顧客の視認回数を算出し、注視部位及び注視時間、視認時間の平均値、最大値及び最小値、顧客視認回数を一覧表にして表示装置２６に表示してから作成した一覧表をデータ蓄積部２４に格納する。
【００４０】
この一覧表からセンサユニット７毎即ちカメラ３及び４毎に、顧客がどの部位に興味をもって注視しているか、視認時間がどの位であるかなどの視認情報を自動的に収集することができ、この視認情報を分析することにより、顧客の興味がどの部位であるかを正確に判別することができ、顧客視認情報に基づいて製品の開発戦略や販売戦略に役立てることができる。
【００４１】
なお、上記実施形態においては、陳列物がデジタルスチルカメラ３及びデジタルビデオカメラ４である場合について説明したが、これに限定されるものではなく、ポータブルＣＤプレーヤ、ポータブルＭＤプレーヤ等のオーディプレーヤや、髭剃り器等の顧客に手にとって視認することができる任意の陳列物を適用することができる。
また、上記実施形態においては、陳列棚２に陳列物を所定の方向を向けて載置するように構成した場合について説明したが、これに限定されるものではなく、陳列棚２に陳列物を所定方向に載置するクレードルを設け、このクレードルに陳列物したときに、その載置方向を特定するようにしてもよく、さらには、センサユニット７に例えば発光部を設けると共に、陳列棚２に発光部からの光を検出する受光部を設け、受光部で発光部からの光を受光しているか否かによって背面向きであるか正面向きであるかを特定したり、センサユニットにスポット径、色との識別可能な複数の発光部を設けると共に、陳列棚２に複数の発光部を識別可能な平面的な受光部を形成し、この受光部での受光位置から陳列物の載置方向を検出するようにしたりしてもよい。逆に、陳列棚２に識別可能な複数の発光部を設け、陳列物に受光部を設けるようにしてもよい。このように、陳列棚２での陳列物の陳列方向を正確に検出することができれば、陳列物の注視部位をより正確に検出することができる。
【００４２】
さらに、上記実施形態においては、角速度検出手段として圧電式ジャイロを適用した場合について説明したが、これに限定されるものではなく、任意の構成のジャイロを適用することができ、要は陳列物の姿勢変化を検出することができればよく、ジャイロ以外の角速度センサも適用することができる。
さらにまた、上記実施形態においては、データベース２１で、センサユニットＩＤ毎に顧客視認情報を格納する場合について説明したが、これに限定されるものではなく、センサユニット７に陳列物に対応するＩＤを登録し、このＩＤに基づいて顧客視認情報を蓄積するようにするようにしてもよい。
【００４３】
なおさらに、上記実施形態においてはセンサユニット７に加速度センサ９を設け場合について説明したが、これに限定されるものではなく、陳列棚２に載置されたときにオン状態又はオフ状態となるスイッチ手段を設けるようにしてもよい。
また、上記実施形態においては、陳列台１の上部にデータベース２１を配置する場合について説明したが、これに限定されるものではなく、陳列台１に無線通信のアクセスポイントのみを設け、このアクセスポイントとデータベース２１とをＬＡＮ等のネットワークを介して接続するようにしてもよい。この場合には、複数の陳列台１で収集される顧客視認情報を一元管理することができる。
【００４４】
さらに、上記実施形態においては、センサユニット７に演算処理装置１０を設けて、図４の注視部位測定処理を行う場合について説明したが、これに限定されるものではなく、センサユニット７で角速度センサ８Ｘ〜８Ｚ及び加速度センサ９の検出値を収集する機能のみを設け、注視部位測定処理をデータベース２１又は外部の演算処理装置で行うようにしてもよい。
【００４５】
さらにまた、上記実施形態においては、センサユニット７とデータベース２１とが無線通信を行う場合について説明したが、これに限定されるものではなく、有線通信を行うようにしてもよく、この場合盗難防止線と電源供給線と有線通信線とを纏めて一本の接続線とすることにより、複数の接続線を設ける場合のように接続線が絡み合うことを確実に防止することができる。
【図面の簡単な説明】
【００４６】
【図１】本発明の一実施形態を示す陳列台の斜視図である。
【図２】本発明に適用し得るセンサユニット及びデータベースを示すブロック図である。
【図３】角速度センサの具体的構成を示すブロック図である。
【図４】センサユニットで実行する注視部位測定処理手順の一例を示すフローチャートである。
【図５】データベースで実行する情報収集処理手順の一例を示すフローチャートである。
【符号の説明】
【００４７】
１…陳列台、２…陳列棚、３…デジタルスチルカメラ、４…デジタルビデオカメラ、５…壁面、７…センサユニット、８Ｘ〜８Ｚ…角速度センサ、１０…演算処理装置、１１…メモリ、１２…通信制御部、１３…送信アンテナ、１４…バッテリ、１５…電源スイッチ、２１…データベース、２２…受信アンテナ、２３…通信制御部、２４…データ処理部、２５…データ蓄積部、２６…表示装置
【図１】
2007114851.tif 000003
【図２】
2007114851.tif 000004
【図３】
2007114851.tif 000005
【図４】
2007114851.tif 000006
【図５】
2007114851.tif 000007